(57)【要約】【課題】より快適なマットレスを提供する。【解決手段】実施形態によれば、マットレスは、第１層、第２層、第１ベース部及び第２ベース部を含む。前記第１層は、高分子発泡体を含む。前記第１ベース部から前記第２ベース部への方向は、前記第１ベース部から前記第１層への方向と交差し、前記第２ベース部から前記第１層への方向と交差する。前記第２層は、前記第１ベース部と前記第１層との間、及び、前記第２ベース部と前記第１層との間に設けられ、高分子発泡体を含む前記第２層は、前記第１層に含まれる第１セルの第２サイズよりも大きい第２サイズを有する第２セル、前記第１層における第１セル数よりも小さい第２セル数、前記第１層の第１引張強さよりも高い第２引張強さ、及び、前記第１層の第１伸びよりも高い第２伸び、の少なくともいずれかを有する。【選択図】図１
2020110456.tif 000002
【特許請求の範囲】
【請求項１】
高分子発泡体を含む第１層と、
第１ベース部と、
第２ベース部であって、前記第１ベース部から前記第２ベース部への方向は、前記第１ベース部から前記第１層への方向と交差し、前記第２ベース部から前記第１層への方向と交差した前記第２ベース部と、
前記第１ベース部と前記第１層との間、及び、前記第２ベース部と前記第１層との間に設けられ高分子発泡体を含む第２層と、
を備え、
前記第２層は、
前記第１層に含まれる第１セルの第２サイズよりも大きい第２サイズを有する第２セル、
前記第１層における第１セル数よりも小さい第２セル数、
前記第１層の第１引張強さよりも高い第２引張強さ、及び、
前記第１層の第１伸びよりも高い第２伸び、
の少なくともいずれかを有する、マットレス。
【請求項２】
前記第２層は、前記第２セルを有する、請求項１記載のマットレス。
【請求項３】
前記第２層は、前記第２セル数を有する、請求項１記載のマットレス。
【請求項４】
前記第２層は、前記第２引張強さを有する、請求項１記載のマットレス。
【請求項５】
前記第２層は、前記第２伸びを有する、請求項１記載のマットレス。
【請求項６】
前記第２層の厚さは、３ｍｍ以上である、請求項１〜５のいずれか１つに記載のマットレス。
【請求項７】
複数の気体収容体を含む気体収容部をさらに備え、
前記第１ベース部から前記気体収容部への方向は、前記第１ベース部から前記第１層への前記方向と交差し、
前記第２ベース部から前記気体収容部への方向は、前記第２ベース部から前記第１層への前記方向と交差し、
前記気体収容部から前記第１層への方向は、前記第１ベース部から前記第１層への前記方向に沿う、請求項１〜６のいずれか１つに記載のマットレス。
【請求項８】
第３ベース部と、
第４ベース部と、
をさらに備え、
前記第３ベース部から前記第４ベース部への方向は、前記第１ベース部から前記第１層への前記方向と交差し、
前記第３ベース部から前記第１層への方向は、前記第１ベース部から前記第１層への方向に沿い、
前記第４ベース部から前記第１層への方向は、前記第１ベース部から前記第１層への方向に沿い、
前記気体収容部は、前記第１ベース部と前記第３ベース部との間にあり、
前記気体収容部は、前記第２ベース部と前記第４ベース部との間にあり、
前記第２層は、前記第３ベース部と前記第１層との間、及び、前記第４ベース部と前記第１層との間に設けられた、請求項７記載のマットレス。
【発明の詳細な説明】
【技術分野】
【０００１】
本発明の実施形態は、マットレスに関する。
【背景技術】
【０００２】
マットレスにおいて、より快適なことが望まれる。
【先行技術文献】
【特許文献】
【０００３】
【特許文献１】特開２００４−２４２７９８号公報
【発明の概要】
【発明が解決しようとする課題】
【０００４】
本発明の実施形態は、より快適なマットレスを提供する。
【課題を解決するための手段】
【０００５】
実施形態によれば、マットレスは、第１層、第２層、第１ベース部及び第２ベース部を含む。前記第１層は、高分子発泡体を含む。前記第１ベース部から前記第２ベース部への方向は、前記第１ベース部から前記第１層への方向と交差し、前記第２ベース部から前記第１層への方向と交差する。前記第２層は、前記第１ベース部と前記第１層との間、及び、前記第２ベース部と前記第１層との間に設けられ、高分子発泡体を含む。前記第２層は、前記第１層に含まれる第１セルの第２サイズよりも大きい第２サイズを有する第２セル、前記第１層における第１セル数よりも小さい第２セル数、前記第１層の第１引張強さよりも高い第２引張強さ、及び、前記第１層の第１伸びよりも高い第２伸び、の少なくともいずれかを有する。
【発明の効果】
【０００６】
本発明の実施形態は、より快適なマットレスを提供できる。
【図面の簡単な説明】
【０００７】
【図１】図１（ａ）及び図１（ｂ）は、第１実施形態に係るマットレスを例示する模式図である。
【図２】図２（ａ）及び図２（ｂ）は、第２実施形態に係るマットレスを例示する模式的斜視図である。
【図３】図３は、実施形態に係るマットレスを例示する顕微鏡写真像である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１（ａ）及び図１（ｂ）は、第１実施形態に係るマットレスを例示する模式図である。  
図１（ａ）は、実施形態に係るマットレス１１０を例示する斜視図である。図１（ｂ）は、マットレス１１０の１つの使用例を示す断面図である。
【００１０】
図１（ａ）に示すように、実施形態に係るマットレス１１０は、複数のベース部（例えば、第１ベース部４１ａ及び第２ベース部４１ｂなど）、第１層４０ａ及び第２層４０ｂを含む。この例は、複数のベース部は、ベース部４１ｃ及び４１ｄをさらに含む。
【００１１】
例えば、複数のベース部の上に、第２層４０ｂが設けられ、第２層４０ｂの上に、第１層４０ａが設けられる。
【００１２】
複数のベース部、第１層４０ａ及び第２層４０ｂは、高分子発泡体を含む。高分子発泡体は、例えば、ウレタンフォームなどを含む。
【００１３】
複数のベース部は、例えば、サイドエッジ部でも良い。２つのサイドエッジ部の間に、中央マットレス部が設けられても良い。後述するように、中央マットレス部は、例えば、気体収容体（例えばエアセル）を含んでも良い。
【００１４】
複数のベース部は、第１方向（例えば、Ｘ軸方向）に沿って並ぶ。例えば、第１ベース部４１ａから第２ベース部４１ｂへの方向は、第１方向に沿う。
【００１５】
Ｘ軸方向に対して垂直な１つの方向をＺ軸方向とする。Ｘ軸方向及びＺ軸方向に対して垂直な方向をＹ軸方向とする。
【００１６】
第１方向は、例えば、マットレス１１０に使用者が寝た時の、頭から足への方向に対応する。Ｙ軸方向は、左右方向に対応する。Ｚ軸方向は、マットレス１１０の下面から上面への方向に対応する。
【００１７】
図１（ａ）に示すように、例えば、第１ベース部４１ａから第２ベース部４１ｂへの方向（第１方向）は、第１ベース部４１ａから第１層４０ａへの方向（Ｚ軸方向）と交差し、第２ベース部４１ｂから第１層４０ａへの方向（Ｚ軸方向）と交差する。
【００１８】
第２層４０ｂは、第１ベース部４１ａと第１層４０ａとの間、及び、第２ベース部４１ｂと第１層４０ａとの間に設けられる。第２層４０ｂは、第１層４０ａと接合される。複数のベース部は、第２層４０ｂと接合される。第２層４０ｂは、例えば、中間層である。実施形態において、「接合」は、接着または溶着などを含む。
【００１９】
図１（ｂ）に示すように、マットレス１１０の１つの使用例において、マットレス１１０が、ベッド７０の上に置かれる。ベッド７０は、例えば、電動ベッドである。ベッド７０は、例えば、背ボトム７０ａ（back section）、腰ボトム７０ｂ（hip section）、膝ボトム７０ｃ(upper leg section)、及び、脚ボトム７０ｄ(lower leg section)などを含む。これらのボトムは、例えば、フレーム７５により支持される。これらのボトムの間の角度は、変更可能である。
【００２０】
このようなベッド７０の上にマットレス１１０が置かれる場合がある。マットレス１１０及びベッド７０は、電動家具３１０に含まれる。
【００２１】
ベッド７０の上にマットレス１１０が置かれたときに、複数のボトムの角度の変化に応じて、マットレス１１０が変形する。マットレス１１０は、折れ曲がる。
【００２２】
例えば、第２層４０ｂが設けられず第１層４０ａだけが設けられる第１参考例がある。第１参考例においては、複数のベース部は、第１層４０ａと接合される。第１参考例では、マットレス１１０が折れ曲がったときに、複数のベース部が第１層４０ａから剥がれやすいか、第１層４０ａが破れ易い。例えば、第１層４０ａが裂け易い。
【００２３】
一方、第２層４０ｂに対応する中間層が、ウレタン樹脂膜（例えば布なども含む）である第２参考例がある。第２参考例では、中間層は、高分子発泡体ではない。ウレタン樹脂膜は、強固である。第２参考例においては、第１層４０ａと複数のベース部との間にウレタン樹脂膜が設けられ、ウレタン樹脂膜が第１層４０ａ及び複数のベース部と接合される。第２参考例において、ウレタン樹脂膜により第１層４０ａが補強されるため、マットレスが折れ曲がったときに、第１層４０ａの破れが抑制できる。しかしながら、中間層としてウレタン樹脂膜を用いた場合には、ウレタン樹脂膜が薄いため、「寝心地」には実質的に寄与しない。快適な睡眠を提供し難い。
【００２４】
実施形態においては、以下のように、第１層４０ａ及び第２層４０ｂは、適切な特性を有する。これにより、複数のベース部の剥がれ、及び、第２層４０ｂの破れなどを抑制しつつ、良好な快適さを提供できる。
【００２５】
第１層４０ａ及び第２層４０ｂは、例えば、複数のセルを含む。セルは、例えば、孔である。１つの例において、第２層４０ｂに含まれるセル（孔）のサイズは、第１層４０ａに含まれるセル（孔）のサイズよりも大きい。セルのサイズとして、例えば、基準となる距離（例えば１０ｍｍ）距離に含まれるセルの平均のサイズが用いられても良い。例えば、第２層４０ｂに含まれるセルのサイズは、約１ｍｍである。一方、例えば、第１層４０ａに含まれるセルのサイズは、約０．２ｍｍである。例えば、第２層４０ｂに含まれるセルのサイズは、第１層４０ａに含まれるセルのサイズの４倍以上でも良い。
【００２６】
１つの例において、第２層４０ｂにおけるセル数は、第１層４０ａにおけるセル数よりも小さい。セル数は、例えば、ＪＩＳ  Ｋ６４００−１：２００４付属書１に記載された「セル数」で定義される。セル数は、基準となる距離の間に存在するセルの数に対応する。例えば、第２層４０ｂにおけるセル数は、２２である。例えば、第１層４０ａにおけるセル数は、５０である。例えば、第１層４０ａにおけるセル数は、第２層４０ｂにおけるセル数の２倍以上でも良い。
【００２７】
１つの例において、第２層４０ｂの引張強さは、第１層４０ａの引張強さよりも高い。第２層４０ｂの引張強さは、例えば、１５０ｋＰａである。第２層４０ｂの引張強さは、例えば、１４０ｋＰａ以上であることが好ましい。一方、第１層４０ａの引張強さは、例えば、３０ｋＰａ以上１４０ｋＰａ未満である。このような引張強さにより、破れなどを抑制しつつ、良好なクッション性が得られる。引張強さは、例えば、ＪＩＳ  Ｋ６４００−５：２０１２に記載された「引張強さ」で定義される。例えば、第２層４０ｂの引張強さは、第１層４０ａの引張強の１．５倍以上でも良い。
【００２８】
１つの例において、第２層４０ｂの伸びは、第１層４０ａの伸びよりも高い。第２層４０ｂの伸びは、例えば、１１５％である。第１層４０ａの伸びは、例えば、８０％である。伸びは、例えば、伸びは、例えば、ＪＩＳ  Ｋ６４００−５：２０１２に記載された「伸び」で定義される。例えば、第２層４０ｂの伸びは、第１層４０ａの伸びの１．２倍以上でも良い。
【００２９】
実施形態において、第２層４０ｂは、第１層４０ａに含まれる第１セルの第２サイズよりも大きい第２サイズを有する第２セル、第１層４０ａにおける第１セル数よりも小さい第２セル数、第１層４０ａの第１引張強さよりも高い第２引張強さ、及び、第１層４０ａの第１伸びよりも高い第２伸び、の少なくともいずれかを有しても良い。
【００３０】
実施形態においては、上記のような第２層４０ｂにより、第１層４０ａが補強される。そして、第２層４０ｂが高分子発泡体を含むことで、良好なクッション性が得られる。
【００３１】
例えば、図１（ｂ）に示すように、マットレス１１０が折れ曲がったときに、折れ曲がり箇所（部分４０ｐ）に強い応力が加わる。上記のような第１層４０ａ及び第２層４０ｂにより、折れ曲がり箇所（部分４０ｐ）に強い応力が加わった場合も、複数のベース部の剥がれ、及び、第１層４０ａ及び第２層４０ｂの破れなどが抑制できる。実施形態によれば、複数のベース部の剥がれを抑制しつつ、良好な快適さ（例えば柔らかさ）を提供できる。例えば、第１層４０ａ及び第２層４０ｂの破れなどを抑制しつつ、良好な快適さ（例えば柔らかさ）を提供できる。
【００３２】
実施形態において、第２層４０ｂの厚さｔ２（図１（ａ）参照）は、３ｍｍ以上であることが好ましい。これにより、良好なクッション性が得易くなる。第１層４０ａの厚さｔ１（図１（ａ）参照）は、３ｍｍ以上であることが好ましい。これにより、良好なクッション性が得易くなる。
【００３３】
第１層４０ａ、及び、第２層４０ｂ（例えば、中間層）の両方に高分子発泡体を用いることで、中間層としてウレタン樹脂膜（例えば布なども含む）用いる場合に比べて、低コストでマットレスを製造できる。
【００３４】
（第２実施形態）  
図２（ａ）及び図２（ｂ）は、第２実施形態に係るマットレスを例示する模式的斜視図である。  
これらの図においては、図を見やすくするために、実施形態に係るマットレス１２０に含まれる複数の要素が互いに離れて描かれている。図２（ｂ）においては、図２（ａ）のＺ軸方向（例えば、上下方向）が逆に描かれている。
【００３５】
図２（ａ）及び図２（ｂ）に示すように、実施形態に係るマットレス１２０は、第１層４０ａ、第２層４０ｂ、第１ベース部４１ａ、及び、第２ベース部４１ｂに加えて、第３ベース部４２ｃ、第４ベース部４２ｄ及び気体収容部１０をさらに含む。この例では、ベース部４２ｅがさらに設けられている。第１ベース部４１ａ及び第２ベース部４１ｂは、例えば、第１サイドエッジ部４１に含まれる。第３ベース部４２ｃ、第４ベース部４２ｄ及びベース部４２ｅは、例えば、第２サイドエッジ部４２に含まれる。
【００３６】
気体収容部１０は、複数の気体収容体１１を含む。第１ベース部４１ａから気体収容部１０への方向（この例では、Ｙ軸方向）は、第１ベース部４１ａから第１層４０ａへの方向（例えば、Ｚ軸方向）と交差する。第２ベース部４１ｂから気体収容部１０への方向（この例では、Ｙ軸方向）は、第２ベース部４１ｂから第１層４０ａへの方向（例えば、Ｚ軸方向）と交差する。気体収容部１０から第１層４０ａへの方向は、第１ベース部４１ａから第１層４０ａへの方向（例えば、Ｚ軸方向）に沿う。
【００３７】
図２（ｂ）に示すように、第３ベース部４２ｃから第４ベース部４２ｄへの方向は、第１ベース部４１ａから第１層４０ａへの方向（例えば、Ｚ軸方向）と交差する。第３ベース部４２ｃから第４ベース部４２ｄへの方向は、例えば、Ｘ軸方向に沿う。
【００３８】
第３ベース部４２ｃから第１層４０ａへの方向は、第１ベース部４１ａから第１層４０ａへの方向（Ｚ軸方向）に沿う。第４ベース部４２ｄから第１層４０ａへの方向は、第１ベース部４１ａから第１層４０ａへの方向（Ｚ軸方向）に沿う。
【００３９】
気体収容部１０は、Ｙ軸方向において、第１ベース部４１ａと第３ベース部４２ｃとの間にある。気体収容部１０は、Ｙ軸方向において、第２ベース部４１ｂと第４ベース部４２ｄとの間にある。
【００４０】
第２層４０ｂは、第３ベース部４２ｄと第１層４０ａとの間、及び、第４ベース部４２ｄと第１層４０ａとの間に設けられる。
【００４１】
マットレス１２０は、ポンプ部３１をさらに含んでも良い。ポンプ部３１は、複数の気体収容体１１の給排気を行う。ポンプ部３１とベース部４２ｅとの間に、気体収容部１０の一部が設けられても良い。
【００４２】
第１サイドエッジ部４１及び第２サイドエッジ部４２において、複数のベース部の剥がれ、及び、第１層４０ａ及び第２層４０ｂの破れなどが抑制できる。
【００４３】
図２（ｂ）に示すように、エッジ部４３及び４４が設けられても良い。エッジ部４３及び４４は、高分子発泡体を含む。気体収容部１０は、第１方向（Ｘ軸方向）において、エッジ部４３とエッジ部４４との間に設けられる。エッジ部４３を設けることで、使用者の頭部側のエッジ部において、マットレスの形状が適切に維持できる。エッジ部４４を設けることで、使用者の足部側のエッジ部において、マットレスの形状が適切に維持できる。
【００４４】
図３は、実施形態に係るマットレスを例示する顕微鏡写真像である。  
図３は、第１層４０ａまたは第２層４０ｂに用いることができる高分子発泡体の表面（例えば断面）の顕微鏡写真像である。図３に示すように、セル４８が観察される。セル４８は、例えば、上記のセルに対応する。上記の「セルのサイズ」は、例えば、基準となる距離に含まれる複数のセル４８の平均の径に対応する。
【００４５】
実施形態によれば、より快適なマットレスが提供できる。
【００４６】
以上、具体例を参照しつつ、本発明の実施の形態について説明した。しかし、本発明は、これらの具体例に限定されるものではない。例えば、マットレスに含まれる、ベース部、第１層、第２層、サイドエッジ部及びポンプ部などの各要素の具体的な構成に関しては、当業者が公知の範囲から適宜選択することにより本発明を同様に実施し、同様の効果を得ることができる限り、本発明の範囲に包含される。
【００４７】
各具体例のいずれか２つ以上の要素を技術的に可能な範囲で組み合わせたものも、本発明の要旨を包含する限り本発明の範囲に含まれる。
【００４８】
その他、本発明の実施形態として上述したマットレスを基にして、当業者が適宜設計変更して実施し得る全てのマットレスも、本発明の要旨を包含する限り、本発明の範囲に属する。
【００４９】
その他、本発明の思想の範疇において、当業者であれば、各種の変更例及び修正例に想到し得るものであり、それら変更例及び修正例についても本発明の範囲に属するものと了解される。
【符号の説明】
【００５０】
１０…気体収容部、  １１…気体収容体、  ３１…ポンプ部、  ４０ａ…第１層、  ４０ｂ…第２層、  ４０ｐ…部分、  ４１…第１サイドエッジ部、  ４１ａ、４１ｂ…第１、第２ベース部、  ４１ｃ、４１ｄ…ベース部、  ４２…第２サイドエッジ部、  ４２ｃ、４２ｄ…第３、第４ベース部、  ４２ｅ…ベース部、  ４３、４４…エッジ部、  ４８…セル、  ７０…ベッド、  ７０ａ…背ボトム、  ７０ｂ…腰ボトム、  ７０ｃ…膝ボトム、  ７０ｄ…脚ボトム、  ７５…フレーム、  １１０、１２０…マットレス、  ３１０…電動家具、  ｔ１、ｔ２…厚さ
【図１】
2020110456.tif 000003
【図２】
2020110456.tif 000004
【図３】
2020110456.tif 000005